(57)【要約】【課題】固定支持部材に下部ガイドを設けることなく、吊扉の揺れを極力抑え、かつ吊扉同士の相互の摺動案内を確保して物の出し入れや掃除等に便利な吊扉の案内支持構造を提供すること。【解決手段】戸棚本体の吊下げレールにより吊り下げ支持された吊扉１ｃ裏面の高さ方向略中間部における幅方向外側端部に取付けられたブラケット６のガイドピン（ガイド部材）８が、戸棚本体の略中間部に幅方向に亘って固設された断面コ字型のレール５に嵌入して吊扉１ｃを案内支持されることで、下方に振れ止めのための固定の下部ガイドを付設する必要がない。【選択図】  図２
2004278104.tif 000002
【特許請求の範囲】
【請求項１】
戸棚の上レールにより吊り下げ支持され、戸棚の幅方向に移動して開閉される吊扉の案内支持構造であって、前記戸棚本体には略中間部に幅方向に亘って配設された案内支持部材が設けられ、前記吊扉には該案内支持部材に沿って移動するガイド部材が設けられていることを特徴とする吊扉の案内支持構造。
【請求項２】
前記案内支持部材は棚板である請求項１に記載の吊扉の案内支持構造。
【請求項３】
前記吊扉の取っ手位置は案内支持部材が設けられている位置と略同一高さレベルにある請求項１または２に記載の吊扉の案内支持構造。
【請求項４】
前記案内支持部材は棚板先端に設けた下方が開放の断面コ字型部材で構成され、前記ガイド部材は該断面コ字型部材の開放したところより上方に向けて嵌入している請求項２または３に記載の吊扉の案内支持構造。
【請求項５】
前記吊扉が複数枚で構成され、隣接する２枚の吊扉同士はそれぞれ下端において吊扉の開閉方向に対しては摺動自在に嵌合している請求項１ないし４の何れかに記載の吊扉の案内支持構造。
【請求項６】
前記請求項１ないし５の何れかに記載の吊扉の案内支持構造を備えていることを特徴とする家具の吊扉。
【発明の詳細な説明】
【０００１】
【発明の属する技術分野】
本発明は、戸棚の上レールにより吊り下げ支持され、戸棚の幅方向に移動して開閉される吊扉の案内支持構造、並びにこれら案内支持構造を備えた家具の吊扉に関する。
【０００２】
【従来の技術】
従来、上レールにより吊り下げ支持され、戸棚の幅方向に移動して開閉される吊扉の案内支持構造は、その下部に滑車を取り付け、これら滑車を吊扉の移動範囲に亘って固定の支持体に案内支持させたもの（特許文献１参照）が知られている。
【０００３】
図６は前記特許文献１に記載の吊下げ式スライド扉の側面図であり、吊扉０１，０２は内外にオフセットされたスライド扉であって、両者は上部ガイド０３によって吊り下げられている。外側のスライド扉０１はブラケット０４を介して滑車０５が、内側のスライド扉０２はブラケット０６を介して滑車０７が取付けられ、両滑車０５，０７は固定の下部ガイド０８に案内支持されている。
【０００４】
【特許文献１】
特開平１０−３１７８００号公報（段落００１９、図１、２）
【０００５】
【発明が解決しようとする課題】
しかしながら、上記特許文献１に記載の吊扉の案内支持構造において、吊扉の下方部の揺れ止めと移動案内のために設けられている下部ガイド０８が固定支持部材０９に取り付けられているため、物の出し入れや掃除等が不便であった。
【０００６】
本発明は、このような状況に鑑みてなされたものであり、固定支持部材に下部ガイドを設けることなく、吊扉の揺れを極力抑え、かつ吊扉同士の相互の摺動案内を確保して物の出し入れや掃除等に便利な吊扉の案内支持構造を提供することを目的とするものである。
【０００７】
【課題を解決するための手段】
上記課題を解決するために、本発明の吊扉の案内支持構造は、戸棚の上レールにより吊り下げ支持され、戸棚の幅方向に移動して開閉される吊扉の案内支持構造であって、前記戸棚本体には略中間部に幅方向に亘って配設された案内支持部材が設けられ、前記吊扉には該案内支持部材に沿って移動するガイド部材が設けられていることを特徴としている。
この特徴によれば、戸棚本体の略中間部に吊扉の移動を案内する案内支持部材が設けられ、下方に振れ止め用の固定のガイドを設ける必要がないので、吊扉の揺れを極力抑えつつ物の出し入れや掃除等に便利な吊扉を提供できる。
【０００８】
本発明の吊扉の案内支持構造において、前記案内支持部材は棚板であることが好ましい。
このようにすれば、案内支持部材として棚板を利用すれば、新たに案内支持部材を設ける必要がない。
【０００９】
本発明の吊扉の案内支持構造において、前記吊扉の取っ手位置は案内支持部材が設けられている位置と略同一高さレベルにあることが好ましい。
このようにすれば、吊扉の取っ手位置が案内支持部材が設けられている位置と近ければ、吊扉が歪むことなく安定して開閉できる。
【００１０】
本発明の吊扉の案内支持構造において、前記案内支持部材は棚板先端に設けた下方が開放の断面コ字型部材で構成され、前記ガイド部材は該断面コ字型部材の開放したところより上方に向けて嵌入していることが好ましい。
このようにすれば、ガイド部材が棚板の下で案内されるので、棚板上面は棚として有効利用できる。
【００１１】
本発明の吊扉の案内支持構造において、前記吊扉が複数枚で構成され、隣接する２枚の吊扉同士はそれぞれ下端において吊扉の開閉方向に対しては摺動自在に嵌合していることが好ましい。
このようにすれば、吊扉の揺れが他の吊扉の重量とガイド部材で相互に抑止され、扉同士の安定した摺動案内を確保できる。
【００１２】
本発明の家具の吊扉は、前記した吊扉の案内支持構造を備えていることを特徴としている。
この特徴によれば、システムキッチンやキャビネット等の家具類の扉にも、固定した下部ガイドを有しない吊扉として適用できる。
【００１３】
【発明の実施形態】
図１は本発明の一実施形態に係る案内支持構造が採用された吊扉の正面図、図２は外扉のガイドピンと案内支持部材の嵌入状態を示す部分斜視図、図３は内扉のガイドピンと案内支持部材の嵌入状態を示す下面側から視た部分斜視図、図４は内扉のガイドピンと案内支持部材の嵌入状態を示す上面側から視た部分斜視図であり、図５の（ａ）は外扉のガイドピンと内扉の嵌合ピンがそれぞれ上下で案内支持されている状態を示す部分断面図、（ｂ）は内扉のガイドピンが案内支持部材に嵌入している状態を示す部分断面図である。
【００１４】
図１に示す１ａ〜１ｃは吊扉であって、これら吊扉は、戸棚本体２の開口上端部の前後に隣接して取付けられた１対の吊下げレール４の前方側に吊り下げられて戸棚本体２の幅方向に移動され、閉鎖時には戸棚本体２の両側に配置される２枚の外扉１ｂ，１ｃと、吊下げレール４の後方側に吊り下げられて戸棚本体２の幅方向に外扉１ｂ，１ｃの内側で引き違い可能に移動され、閉鎖時には両外扉１ｂ，１ｃの中間に配置される１枚の幅広の内扉１ａとから構成されている。
【００１５】
図２も示すように、戸棚本体２内部の高さ方向略中間部には棚板２ａが設けられ、この棚板２ａの前端下面には幅方向に亘って案内支持部材となる下方が開放する案内溝５ａを有する断面コ字型のレール５が固設され、内扉１ａ裏面の下端には、図５（ａ）に示すように、幅方向全長に亘って案内支持部材となる下方が開放する案内溝１２ａを有し、両端に図示しないストッパを設けた断面コ字型の下部レール１２が固設されている。
【００１６】
そして、両外扉１ｂ，１ｃの高さ方向略中間部におけるレール５が固設された位置と略同一高さレベルの幅方向外側端部には、図１に示すように、それぞれ取っ手Ｈ１，Ｈ２が取付けられており、両外扉１ｂ，１ｃの幅方向外側端部には、図２に示すように、レール５の案内溝５ａ内に摺動自在に嵌入するガイド部材として構成されたガイドピン８を立設したブラケット６が図１に示す各Ａ部位にそれぞれ取付けられている。ブラケット６外側の当接面に例えばゴム製の緩衝部材１０が取着されている。
【００１７】
また、内扉１ａの高さ方向略中間部における裏面の幅方向両端には、図３〜図５（ｂ）に示すように、レール５の案内溝５ａ内に摺動自在に嵌入するガイド部材として構成されたガイドピン１６を立設したブラケット１４が図１に示す各Ｂ部位にそれぞれ取付けられている。
【００１８】
戸棚本体２の閉鎖時における両外扉１ｂ，１ｃの内側端部は、それらの後方に配置される内扉１ａの両側端部に重なる重畳部位が設けられており、両外扉１ｂ，１ｃ裏面の重畳部位下端には、図５（ａ）に示すように、下部レール１２の案内溝１２ａ内に摺動自在に嵌入する嵌合ピン２０を立設したブラケット１８が図１に示す各Ｃ部位にそれぞれ取付けられている。
【００１９】
従って、両外扉１ｂ，１ｃは、幅方向外側端部のブラケット６に立設したガイドピン８がレール５の案内溝５ａ内で支持されると共に、両外扉１ｂ，１ｃ裏面の内側下端のブラケット１８に立設した嵌合ピン２０が内扉１ａ裏面下端の下部レール１２に支持されているので、前後方向の揺れも抑制される。
【００２０】
次に、上記のような案内支持構造で構成された吊扉の作用に付き説明する。
【００２１】
先ず、図１に示すように、戸棚本体２の開口を閉鎖した吊扉を開放するに際し、例えば、取っ手Ｈ２を掴んで吊下げレール４の前方側に吊り下げられた外扉１ｃを内扉１ａに向けて移動させる。
【００２２】
これにより、外扉１ｃのブラケット６上のガイドピン８がレール５の案内溝５ａ内に案内されると共に、外扉１ｃ裏面のブラケット１８上に立設した嵌合ピン２０が内扉１ａ裏面下端の下部レール１２に案内されて移動し、外扉１ｃのブラケット６が内扉１ａの右端に当接する。
【００２３】
この状態で、外扉１ｃを反対側の外扉１ｂに向けて更に左行させると、ブラケット６に当接した内扉１ａは外扉１ｃと共に移動して内扉１ａの外扉１ｂ側端部が戸棚本体２の開口側面に当接するか、外扉１ｃが外扉１ｂの対向する内側側端に当接することで戸棚本体２は開口部の右側半分が開放された状態となる。
【００２４】
一方、開放された右側半分を閉じる場合は、外扉１ｃを右行させることで、ブラケット１８の嵌合ピン２０が下部レール１２右端の図示しないストッパに係止して内扉１ａと共に右行し、外扉１ｃが戸棚本体２の開口側面に当接して上記開口部が閉鎖される。尚、反対側の外扉１ｂを開放させる場合は、重複する説明は省略するが反対方向に同じ操作により開放することができる。なお、内扉１ａに直接取っ手を取り付け、単独で内扉１ａを開閉するようにしても良い。
【００２５】
従って、上記のように構成された吊扉の案内支持構造によれば、戸棚本体２の吊下げレール４により吊り下げ支持された吊扉１ａ〜１ｃは、戸棚本体２略中間部に幅方向に亘って固設された断面コ字型のレール５に、両外扉１ｂ，１ｃ裏面の高さ方向略中間部における幅方向外側端部に取付けられたブラケット６のガイドピン８と、内扉１ａの高さ方向略中間部における裏面の幅方向両端に取付けられたブラケット１４のガイドピン１６がそれぞれ嵌入して案内支持されることで、下方に振れ止め用のガイドを設ける必要がなく、揺れを極力抑えつつ物の出し入れや掃除等に便利な吊扉として提供することができる。
【００２６】
また、レール５の取付部として戸棚本体２内部の高さ方向略中間部に設けた棚板２ａを利用することで、新たに専用の支持部材を設ける必要がない。
【００２７】
更に、吊扉の取っ手Ｈ１，Ｈ２の取付け位置は、レール５が取付けられる位置と略同一高さレベルにあるので、吊扉が歪むことなく安定して開閉できる。
【００２８】
そして、レール５が棚板２ａ先端側であって、下方が開放した断面コ字型部材で構成され、ガイドピン８と１６が断面コ字型部材の開放した案内溝５ａに嵌入して案内されているので、棚板２ａ上面は棚として有効利用できる。
【００２９】
そしてまた、複数枚で構成される吊扉が下端側でそれぞれ摺動自在に嵌合しているので、吊扉の揺れがそれぞれの重量とガイドピンとで抑止し合い、内扉１ａないし外扉１ｂ，１ｃ同士の相互の安定した摺動案内を確保できる。
【００３０】
更に、吊扉には上記のような吊扉の案内支持構造を備えているので、システムキッチンやキャビネット等の家具類の扉にも、固定した下部ガイドのない吊扉として適用できる。
【００３１】
【発明の効果】
本発明は以下の効果を奏する。
【００３２】
（ａ）請求項１項の発明によれば、戸棚本体の略中間部に吊扉の移動を案内する案内支持部材が設けられ、下方に振れ止め用の固定のガイドを設ける必要がないので、吊扉の揺れを極力抑えつつ物の出し入れや掃除等に便利な吊扉を提供できる。
【００３３】
（ｂ）請求項２項の発明によれば、案内支持部材として棚板を利用すれば、新たに案内支持部材を設ける必要がない。
【００３４】
（ｃ）請求項３項の発明によれば、吊扉の取っ手位置が案内支持部材が設けられている位置と近ければ、吊扉が歪むことなく安定して開閉できる。
【００３５】
（ｄ）請求項４項の発明によれば、ガイド部材が棚板の下で案内されるので、棚板上面は棚として有効利用できる。
【００３６】
（ｅ）請求項５項の発明によれば、吊扉同士が下端で摺動自在に嵌合しているので、吊扉の揺れが他の吊扉の重量とガイド部材で相互に抑止され、扉同士の安定した摺動案内を確保できる。
【００３７】
（ｆ）請求項６項の発明によれば、システムキッチンやキャビネット等の家具類の扉にも、固定した下部ガイドを有しない吊扉として適用できる。
【図面の簡単な説明】
【図１】本発明の一実施形態に係る案内支持構造が採用された吊扉の正面図である。
【図２】外扉のガイドピンと案内支持部材の嵌入状態を示す部分斜視図である。
【図３】内扉のガイドピンと案内支持部材の嵌入状態を示す下面側から視た部分斜視図である。
【図４】内扉のガイドピンと案内支持部材の嵌入状態を示す上面側から視た部分斜視図である。
【図５】（ａ）は外扉のガイドピンと内扉の嵌合ピンがそれぞれ上下で案内支持されている状態を示す部分断面図、（ｂ）は内扉のガイドピンが案内支持部材に嵌入している状態を示す部分断面図である。
【図６】従来の吊下げ式スライド扉の側面図である。
【符号の説明】
１ａ                    内扉
１ｂ，１ｃ              外扉
２                      戸棚本体
２ａ                    棚板
４                      吊下げレール
５                      レール
５ａ                    案内溝
６                      ブラケット
８                      ガイドピン（ガイド部材）
１０                    緩衝部材
１２                    下部レール
１２ａ                  案内溝
１４                    ブラケット
１６                    ガイドピン（ガイド部材）
１８                    ブラケット
２０                    嵌合ピン
Ｈ１，Ｈ２              取っ手
【図１】
2004278104.tif 000003
【図２】
2004278104.tif 000004
【図３】
2004278104.tif 000005
【図４】
2004278104.tif 000006
【図５】
2004278104.tif 000007
【図６】
2004278104.tif 000008